(57)【要約】      （修正有）【課題】船舶の推進ユニットにおける効率の良い冷却システムを提供する。【解決手段】船の船体２の下方に配置されたシェル構造１及びプロペラ４を回転する電気モータ３を備える船の推進ユニットにおいて、推進ユニットは、ガス１３を含む密閉ガス循環冷却システム１２を備え、そして、前記電気モータ３のチャンネル２３を通ってガス１３を循環するガス循環手段１４、液体を含む内部空間を有する密閉液体冷却システム１５、並びに、密閉ガス循環冷却システム１２を循環するガス１３及び密閉液体冷却システム１５の液体の間で熱エネルギーを交換するため、密閉ガス循環冷却システム１２及び密閉液体冷却システム１５と流体的に接続するガス−液体熱交換器１７を備える。密閉ガス循環冷却システム１２、密閉液体冷却システム１５及びガス−液体熱交換器１７は、推進ユニットの一部である。【選択図】図２２
2015027871.tif 000002
【特許請求の範囲】
【請求項１】
少なくとも一部が水によって囲われるように、船の船体（２）の下方に、少なくとも一部が水中に浸水可能に配置されるシェル構造（１）と、
前記シェル構造（１）の外側でプロペラ（４）を回転するための電気モータ（３）と、
を備え、
前記電気モータ（３）は、固定子（５）及び前記固定子（５）により回転する回転子（６）を有し、
前記電気モータ（３）は、前記電気モータ（３）の前記固定子（５）が前記シェル構造（１）のモータハウジングセクション（９）の円筒状セクション（１０）の中に形状が適合するように、前記シェル構造（１）の前記モータハウジングセクション（９）に配置され、
前記円筒状セクション（１０）は、円筒状外面（１１）を有し、そして、
前記シェル構造（１）は、前記シェル構造（１）の前記モータハウジングセクション（９）に接続される下端及び前記船の前記船体（２）に接続される上端を有する支持セクション（２６）を含む、船のアジマス推進ユニットのような船の推進ユニットであって、
密閉ガス循環冷却システム（１２）は、ガス（１３）を含み、そして、前記電気モータ（３）のチャンネル（２３）を通るガス（１３）が循環するためのガス循環手段（１４）を備え、
密閉液体冷却システム（１５）は、液体（１６）を含む内部空間を有し、
ガス−液体熱交換器（１７）は、前記密閉ガス循環冷却システム（１２）を循環するガス（１３）及び前記密閉液体冷却システム（１５）の液体（１６）の間で熱エネルギーを交換するため、前記密閉ガス循環冷却システム（１２）と流体的に接続され、且つ、前記密閉液体冷却システム（１５）と流体的に接続され、
前記密閉ガス循環冷却システム（１２）、前記密閉液体冷却システム（１５）及び前記ガス−液体熱交換器（１７）は、前記推進ユニットの一部である、ことを特徴とする推進ユニット。
【請求項２】
前記密閉液体冷却システム（１５）の前記内部空間は、前記密閉液体冷却システム（１５）の前記内部空間の液体（１６）が、前記推進ユニットの前記シェル構造（１）を介して、前記密閉液体冷却システム（１５）の液体（１６）及び前記推進ユニットを囲う水の間で熱エネルギーを交換するため、前記推進ユニットの前記シェル構造（１）と直接的に接触するように、前記推進ユニットの前記シェル構造（１）により部分的に限定されることを特徴とする請求項１に記載の推進ユニット。
【請求項３】
前記シェル構造（１）の前記支持セクション（２６）の下端は、前記推進ユニットを囲う水が前記シェル構造（１）の開口（１８）を通って流れることを可能とする前記開口（１８）が、前記シェル構造（１）の前記支持セクション（２６）に形成されるように、前記シェル構造（１）の前記モータハウジングセクション（９）に接続されることを特徴とする請求項１又は請求項２に記載の推進ユニット。
【請求項４】
前記シェル構造（１）の前記支持セクション（２６）の前記下端は、前記シェル構造（１）の前記支持セクション（２６）の前記開口（１８）が、前記シェル構造（１）の前記支持セクション（２６）及び前記シェル構造（１）の前記モータハウジングセクション（９）の間に形成されるように、並びに、前記モータハウジングセクション（９）の前記円筒状セクション（１０）の前記円筒状外面（１１）の円筒状部（１９）が、前記推進ユニットの最外面の一部に形成され、そして、前記最外面が前記推進ユニットを囲う水と少なくとも部分的に接触するように、前記シェル構造（１）の前記モータハウジングセクション（９）に接続されることを特徴とする請求項３に記載の推進ユニット。
【請求項５】
前記密閉液体冷却システム（１５）は、前記液体（１６）を含む前記内部空間を形成する密閉液体タンク（２１）の形状であることを特徴とする請求項１乃至請求項４のいずれか一項に記載の推進ユニット。
【請求項６】
前記密閉液体タンク（２１）は、前記密閉液体タンク（２１）の液体（１６）が、前記モータハウジングセクション（９）の前記円筒状セクション（１０）を介して、前記モータハウジングセクション（９）の前記円筒状セクション（１０）に配置される前記電気モータ及び前記密閉液体タンク（２１）の液体（１６）の間で熱エネルギーを交換するため、前記モータハウジングセクション（９）の前記円筒状セクション（１０）の前記円筒状外面（１１）と直接的に接触するように、前記モータハウジングセクション（９）の前記円筒状セクション（１０）の前記円筒状外面（１１）により部分的に限定されることを特徴とする請求項５に記載の推進ユニット。
【請求項７】
前記密閉液体タンク（２１）は、前記密閉液体タンク（２１）の液体（１６）が、前記推進ユニットの前記シェル構造（１）を介して、前記密閉液体タンク（２１）の液体（１６）及び前記推進ユニットの前記シェル構造（１）の前記支持セクション（２６）を囲う水の間で熱エネルギーを交換するため、前記推進ユニットの前記シェル構造（１）の前記支持セクション（２６）と直接的に接触するように、前記推進ユニットの前記シェル構造（１）の前記支持セクション（２６）により部分的に限定されることを特徴とする請求項５又は請求項６に記載の推進ユニット。
【請求項８】
前記密閉液体冷却システム（１５）は、液体（１６）を含み、且つ、液体（１６）を含む前記内部空間を形成する密閉液体循環冷却システム（２４）の形状であり、そして、前記密閉液体循環冷却システム（２４）の前記内部空間の液体（１６）を循環する液体循環手段（２５）を備えることを特徴とする請求項１乃至請求項４のいずれか一項に記載の推進ユニット。
【請求項９】
前記密閉液体循環冷却システム（２４）は、外面（３４）を有するチューブセクション（３３）により部分的に形成され、前記外面（３４）は、前記密閉液体循環冷却システム（２４）の前記チューブセクション（３３）を介して、前記密閉液体循環冷却システム（２４）を循環する液体（１６）及び前記推進ユニットを囲う水の間で熱エネルギーを交換するため、前記推進ユニットを囲う水と直接的に接触することを特徴とする請求項８に記載の推進ユニット。
【請求項１０】
前記チューブセクション（３３）は、前記密閉液体冷却システム（１５）の前記内部空間で循環する液体が、液体−液体熱交換器（３８）の前記チューブセクション（３３）を流れる液体及び前記液体−液体熱交換器（３８）の前記チューブセクション（３３）と接触し、且つ、前記推進ユニットの前記シェル構造（１）を囲う水の間で熱エネルギーを交換するため、前記液体−液体熱交換器（３８）の前記チューブセクション（３３）を通って循環するために、前記密閉液体冷却システム（１５）と流体的に連絡する前記液体−液体熱交換器（３８）の一部であることを特徴とする請求項９に記載の推進ユニット。
【請求項１１】
前記密閉液体循環冷却システム（２４）の前記内部空間は、前記密閉液体循環冷却システムの前記内部空間を流れる液体（１６）が、前記シェル構造（１）の前記支持セクション（２６）を介して、前記密閉液体循環冷却システム（２４）の前記内部空間を流れる液体（１６）及び前記シェル構造（１）の前記支持セクション（２６）を囲う水の間で熱エネルギーを交換するため、前記シェル構造（１）の前記支持セクション（２６）と直接的に接触するように、前記推進ユニットの前記シェル構造（１）の前記支持セクション（２６）によって部分的に限定されることを特徴とする請求項８乃至請求項１０のいずれか一項に記載の推進ユニット。
【請求項１２】
前記密閉液体循環冷却システム（２４）の前記内部空間は、前記密閉液体循環冷却システム（２４）の前記内部空間を流れる液体（１６）が、前記電気モータ（３）及び前記密閉液体循環冷却システム（２４）の前記内部空間を循環する液体（１６）の間の前記モータハウジングセクション（９）の前記円筒状セクション（１０）の一部（３１）を介して、前記モータハウジングセクション（９）の前記円筒状セクション（１０）に配置される前記電気モータ（３）及び前記密閉液体循環冷却システム（２４）の前記内部空間を流れる液体（１６）の間で熱エネルギーを交換するため、前記モータハウジングセクション（９）の前記円筒状セクション（１０）の前記円筒状外面（１１）の前記一部（３１）と直接的に接触するように、前記モータハウジングセクション（９）の前記円筒状セクション（１０）の前記円筒状外面（１１）の前記一部（３１）によって部分的に限定されることを特徴とする請求項８乃至請求項１１のいずれか一項に記載の推進ユニット。
【請求項１３】
前記密閉液体循環冷却システム（２４）の前記内部空間の液体（１６）と接触する前記モータハウジングセクション（９）の前記円筒状セクション（１０）の前記円筒状外面（１１）の前記一部（３１）は、前記モータハウジングセクション（９）の前記円筒状セクション（１０）の前記円筒状外面（１１）の前記一部（３１）に沿った液体（１６）の複数の個々の流れを作るためのパーティション要素（２７）を備えることを特徴とする請求項１２に記載の推進ユニット。
【請求項１４】
前記密閉液体循環冷却システム（２４）は、第１液体タンク（２８）を備え、
前記第１液体タンク（２８）は、前記密閉液体循環冷却システム（２４）の前記内部空間の一部を形成する第１内部空間を有し、
前記第１液体タンク（２８）は、前記密閉液体循環冷却システム（２４）を流れる液体（１６）が前記第１液体タンク（２８）の前記第１内部空間を通って流れるように、前記密閉液体循環冷却システム（２４）と流体的に連絡され、そして、
前記第１液体タンク（２８）の前記第１内部空間は、前記第１液体タンク（２８）の第１内部空間の液体（１６）が、前記モータハウジングセクション（９）の前記円筒状セクション（１０）の前記円筒状外面（１１）の前記一部（３１）を介して、前記モータハウジングセクション（９）に配置される前記電気モータ（３）及び前記第１液体タンク（２８）の前記第１内部空間を流れる液体（１６）の間で熱エネルギーを交換するため、前記モータハウジングセクション（９）の前記円筒状セクション（１０）の前記円筒状外面（１１）と直接的に接触するように、前記モータハウジングセクション（９）の前記円筒状セクション（１０）の前記円筒状外面（１１）の前記一部（３１）によって部分的に限定されることを特徴とする請求項８乃至請求項１３のいずれか一項に記載の推進ユニット。
【請求項１５】
前記第１液体タンク（２８）は、前記第１液体タンク（２８）の前記内部空間の液体（１６）が、前記シェル構造（１）の前記支持セクション（２６）を介して、前記密閉液体循環冷却システム（２４）の前記第１液体タンク（２８）の前記第１内部空間を流れる液体（１６）及び前記シェル構造（１）の前記支持セクション（２６）を囲う水の間で熱エネルギーを交換するため、前記シェル構造（１）の前記支持セクション（２６）とさらに直接的に接触するように、前記シェル構造（１）の前記支持セクション（２６）によって、さらに部分的に限定されることを特徴とする請求項１４に記載の推進ユニット。
【請求項１６】
前記密閉液体循環冷却システム（２４）は、第２液体タンク（３０）を備え、
前記第２液体タンク（３０）は、前記密閉液体循環冷却システム（２４）の前記内部空間の一部を形成する第２内部空間を有し、
前記第２液体タンク（３０）は、前記密閉液体循環冷却システム（２４）を流れる液体（１６）が前記第２液体タンク（３０）の前記第２内部空間を通って流れるように、前記密閉液体循環冷却システム（２４）が流体的に連絡され、そして、
前記第２液体タンク（３０）は、前記第２液体タンク（３０）の前記第２内部空間の液体（１６）が、前記シェル構造（１）の前記支持セクション（２６）を介して、前記第２液体タンク（３０）の前記第２内部空間を流れる液体（１６）及び前記シェル構造（１）の前記支持セクション（２６）を囲う水の間で熱エネルギーを交換するため、前記シェル構造（１）の前記支持セクション（２６）と直接的に接触するように、前記シェル構造（１）の前記支持セクション（２６）によって部分的に限定されることを特徴とする請求項８乃至請求項１５のいずれか一項に記載の推進ユニット。
【請求項１７】
前記ガス−液体熱交換器（１７）は、前記密閉ガス循環冷却システム（１２）を循環するガス及び前記密閉液体冷却システム（１５）の液体（１６）の間で熱エネルギーを交換するため、前記密閉ガス循環冷却システム（１２）と流体的に接続し、そして、前記密閉液体冷却システム（１５）と流体的に接続するセパレート熱交換器であることを特徴とする請求項８乃至請求項１６のいずれか一項に記載の推進ユニット。
【請求項１８】
前記シェル構造（１）の前記支持セクション（２６）の下端は、前記推進ユニットの前記シェル構造（１）の前記モータハウジングセクション（９）の前記円筒状セクション（１０）の前記円筒状外面（１１）が、前記推進ユニットの最外面を形成し、そして、前記最外面が、前記推進ユニットを囲う水と少なくとも一部で接触するように、前記シェル構造（１）の前記モータハウジングセクション（９）と接続されることを特徴とする請求項１乃至請求項１７のいずれか一項に記載の推進ユニット。
【請求項１９】
前記モータハウジングセクション（９）の前記円筒状セクション（１０）がシングルレイヤー構造であることを特徴とする請求項１乃至請求項１８のいずれか一項に記載の推進ユニット。
【請求項２０】
前記密閉液体冷却システム（１５）は、前記推進ユニットの前記シェル構造（１）によって少なくとも一部が囲われて配置され、
前記密閉ガス循環冷却システム（１２）は、前記推進ユニットの前記シェル構造（１）によって少なくとも部分的に囲われて配置され、そして、
前記ガス−液体熱交換器（１７）は、前記推進ユニットの前記シェル構造（１）によって少なくとも部分的に囲われて配置されることを特徴とする請求項１乃至請求項１９のいずれか一項に記載の推進ユニット。
【請求項２１】
前記密閉液体冷却システム（１５）は、前記船の前記船体（２）の外側に完全に配置され、
前記密閉ガス循環冷却システム（１２）は、前記船の前記船体（２）の外側に完全に配置され、そして、
前記ガス−液体熱交換器（１７）は、前記船の前記船体（２）の外側に完全に配置されることを特徴とする請求項１乃至請求項２０のいずれか一項に記載の推進ユニット。
【発明の詳細な説明】
【技術分野】
【０００１】
本発明は、独立請求項１の前文に定義される船の推進ユニットに関する。
【０００２】
本発明は、ＵＳ  ５，４０３，２１６で提案されるように、アジマス推進ユニット等の船の推進ユニットに関する。
【背景技術】
【０００３】
ＵＳ  ６，３１２，２９８  Ｂ１は、船用のプロペラモータの改良形状の電動駆動システムを示しており、単純な手段のモータの冷却が提供されている。循環する冷却液の再冷却のために、その壁にシャフト状の支持部が内部に配置される環状ダクトが提供される。この支持部の補助により、プロペラモータは、ゴンドラのように、船の下方側に配置される。
【０００４】
ＵＳ  ６，４８５，３３９  Ｂ１は、電気推進ポッドヒートリジェクションメンバーを有する船用の電気推進ポッドを示す。この電気推進ポッドは、中空のシップアクセスシャフトによって船の下方に取り付けられる。電気推進ポッドは、水推進力を発生させる電気モータを含む。電気モータは、電気推進ポッド及びシップアクセスシャフトの表面を通って水中に導かれ、そして、その後、放出される熱量が生じる。ヒートリジェクションメンバーは、電気モータ熱の案内及びその後の放出が増加するように、適合される。
【０００５】
ＵＳ  ７，１８６，１５６  Ｂ１は、推進力を提供するために配置される電気モータ、及び、モータを包含して配置されるハウジングを備える水上船が推進するための推進ユニットを示す。ハウジングの内部は、その中で維持される冷却ガスの冷却効果を増加させるために、約２ｂａｒ以上の増加圧力が維持される。ハウジングの端部領域は、その上を通過する冷却ガスを冷却するために配置される熱交換機構を備えている。使用時に、ハウジングを囲む水がそこから熱を吸収するように、熱交換機構は、ハウジングと結合される。
【０００６】
ＷＯ  ０１５４９７３は、船用の推進ユニットの配置を示す。その配置は、モータシャフトに配置されるプロペラのみならず、水中に配置され、そして、モータ及びそれに関連する幾つかの制御手段を具備するモータハウジングを備えるモータユニットを含む。前記モータユニットは、冷却が、前記ユニットを包囲する水の中で、モータのケーシング構造を通って直接的に、モータの全周囲の表面を介して起こるために配置されるための電気モータを備える。
【０００７】
ＵＳ  ６，２３１，４０７は、ハウジングに同期モータを有し、略１０ＭＷの推進力で、ゴンドラ状の方法で船体の底部に配置されるためのハウジングを有する船推進の推進効果の改善を示し、前記同期モータの回転子は、永久磁石回転子として設計され、そして、前記同期モータの固定子は、ハウジング壁を通って冷却されるため、形状が適合する方法でハウジングの中に嵌合される。ファン又はスプレー装置の形状の付加的な冷却装置は、各ワインディングオーバーハング（each winding overhang）のために設けられる。
【０００８】
刊行物ＷＯ  ２０１２／１２３５４７  Ａ１は、船を駆動するための少なくとも一つの電気モータ、及び、少なくとも一つの冷却液によって少なくとも一つの電気モータを冷却するための冷却装置を備える船に関する。また、その発明は、海水によって少なくとも一つの冷却液を冷却するために設計された、熱交換器を冷却装置が有すると規定する。
【発明の概要】
【０００９】
発明の目的
本発明の目的は、船の推進ユニットの効率のよい冷却を提供することにある。
【００１０】
発明の簡単な説明
本発明の船の推進ユニットは、独立請求項１の定義によって特徴付けられる。
【００１１】
船の推進ユニットの好ましい実施形態は、従属請求項に定義される。
【００１２】
推進ユニットは、シェル構造が水によって少なくとも部分的に囲われるように、船の船体の下方に少なくとも部分的に配置され、且つ、少なくとも部分的に水中に浸水可能なシェル構造と、シェル構造の外側でプロペラを回転する電気モータと、を備える。電気モータは、固定子及び固定子により回転する回転子を有する。電気モータは、電気モータの固定子が、シェル構造のモータハウジングセクションの円筒状セクションに形状が適合されるように、シェル構造のモータハウジングセクションに配置される。円筒状セクションは、円筒状外面を有する。シェル構造は、シェル構造のモータハウジングセクションに接続される下端及び船の船体に接続される上端を有する支持セクションを備える。
【００１３】
本発明は、推進ユニットを囲う水へ、電気モータを通って、密閉ガス循環冷却システムを流れるガスから熱エネルギーを移動するための密閉液体冷却システムの液体の使用に基づかれる。密閉ガス循環冷却システムは、ガスを含み、そして、電気モータのチャンネルを通ってガスを循環するガス循環手段を備える。密閉液体冷却システムは、液体を含む内部空間を有する。推進ユニットは、密閉ガス循環冷却システムを循環するガス及び密閉液体冷却システムの液体の間で熱エネルギーを交換するため、密閉ガス循環冷却システムと流体的に接続し、且つ、密閉液体冷却システムと流体的に接続する、ガス−液体熱交換器を備える。推進ユニットにおいて、密閉ガス循環冷却システム、密閉液体冷却システム及びガス−液体熱交換器は、推進ユニットの全域である。
【００１４】
密閉ガス循環冷却システム、密閉液体冷却システム及びガス−液体熱交換器が推進ユニットの全域であるので、船への推進ユニットの取付及び装着が容易であり、これは、電気プロペラモータを冷却する冷却液又は冷却ガスが冷却溶の冷却液又は推進ユニット及び船の間で必ず必要とされるような冷却液用の冷却ラインがないためである。
【００１５】
推進ユニットにおいて、密閉液体冷却システム、密閉ガス循環冷却システム及びガス−液体熱交換器は、必須ではないが、好ましくは、推進ユニットのシェル構造によって少なくとも部分的に囲われて配置される。推進ユニットにおいて、密閉液体冷却システム、密閉ガス循環冷却システム及びガス−液体熱交換器は、必須ではないが、より好ましくは、推進ユニットのシェル構造によって完全に囲われて配置される。
【００１６】
ここで「密閉ガス循環冷却システム」とは、この関係において、例えば、密閉ガス循環冷却システムの中を通されず、また、推進ユニットの中で密閉ガス循環冷却システムから放出されるガスでもない、推進ユニットに提供される空気のようなガスである、という意味である。
【００１７】
ここで「密閉液体冷却システム」とは、この関係において、例えば、密閉液体冷却システムの中を通されず、また、推進ユニットが水中に少なくとも部分的に浸されるときに推進ユニットを囲う水の中で密閉液体冷却システムから放出される液体でもない、推進ユニットが水中で少なくとも部分的に浸させるときに推進ユニットを囲う水である、という意味である。
【００１８】
推進ユニットにおいて、推進ユニットの表面は、電気モータが推進ユニットを囲う水へモータのケーシング構造を通ってのみ冷却される解決法によるよりも、電気モータから推進ユニットを囲う水へ熱エネルギーを移動するために、より効果的に用いられる。冷却が効果的であるので、電気モータが推進ユニットを囲う水へモータのケーシング構造を通ってのみ冷却される解決法と比較して、より強力な電気モータが、用いられる。
【００１９】
本発明の好ましい実施形態においては、電気モータは、誘導モータである。誘導モータにおいて、熱エネルギーのかなりの量は、回転子で発生され、推進ユニットは、特に有利であるが、これは、推進ユニットが誘導モータの回転子の効率のよい冷却を提供するからである。但し、同冷却原理は、永久磁石同期モータ等の電気モータの任意のタイプの冷却に用いることができる。
【００２０】
本発明は、以下の図面を参照することで、より詳細に説明される。
【図面の簡単な説明】
【００２１】
【図１】図１は、第１の実施形態の推進ユニットを示す。
【図２】図２は、図１に示される推進ユニットの機能原理を示す。
【図３】図３は、一方から示されるように図１に示す推進ユニットを示す。
【図４】図４は図１に示される第１の実施形態の変形例を示す。
【図５】図５は、図１乃至図３においてＸ−Ｘ断面での代替形態を示す。
【図６】図６は、図１乃至図３においてＸ−Ｘ断面での代替形態を示す。
【図７】図７は、図１乃至図３においてＸ−Ｘ断面での代替形態を示す。
【図８】図８は、図１乃至図３においてＸ−Ｘ断面での代替形態を示す。
【図９】図９は、図４に示される第１実施形態の変形例のＸ−Ｘ断面での構成を示す。
【図１０】図１０は、図３においてＹ−Ｙ断面での代替形態を示す。
【図１１】図１１は、図３においてＹ−Ｙ断面での代替形態を示す。
【図１２】図１２は、図３においてＹ−Ｙ断面での代替形態を示す。
【図１３】図１３は、図４に示される第１の実施形態の変形例のＹ−Ｙ断面の構成を示す。
【図１４】図１４は、第２の実施形態の推進ユニットを示す。
【図１５】図１５は、図１４に示される推進ユニットの機能原理を示す。
【図１６】図１６は、一方から示されるように、図１４に示される推進ユニットを示す。
【図１７】図１７は、図１４乃至図１７においてＸ−Ｘ断面での構成を示す。
【図１８】図１８は、第３の実施形態に係る推進ユニットを示す。
【図１９】図１９は、図１８に示される推進ユニットの機能原理を示す。
【図２０】図２０は、一方から示されるように、図１８に示される推進ユニットを示す。
【図２１】図２１は、図１８乃至図２０においてＸ−Ｘ断面での構成を示す。
【図２２】図２２は、第４の実施形態の推進ユニットを示す。
【図２３】図２３は、図２２に示される推進ユニットの機能原理を示す。
【図２４】図２４は、一方から示されるように、図２２に示される推進ユニットを示す。
【図２５】図２５は、図２２乃至図２４に示されるＸ−Ｘ断面での代替形態を示す。
【図２６】図２６は、図２２乃至図２４に示されるＸ−Ｘ断面での代替形態を示す。
【図２７】図２７は、図２２乃至図２４に示されるＸ−Ｘ断面での代替形態を示す。
【図２８】図２８は、図２２乃至図２４に示されるＸ−Ｘ断面での代替形態を示す。
【図２９】図２９は、第５の実施形態の推進ユニットを示す。
【図３０】図３０は、図２９に示される推進ユニットの機能原理を示す。
【図３１】図３１は、一方から示されるように、図２９に示される推進ユニットを示す。
【図３２】図３２は、図２９乃至図３１においてＸ−Ｘ断面での代替形態を示す。
【図３３】図３３は、図２９乃至図３１においてＸ−Ｘ断面での代替形態を示す。
【図３４】図３４は、図２９乃至図３１においてＸ−Ｘ断面での代替形態を示す。
【図３５】図３５は、図２９乃至図３１においてＸ−Ｘ断面での代替形態を示す。
【図３６】図３６は、第６の実施形態の推進ユニットを示す。
【図３７】図３７は、図３６に示される推進ユニットの機能原理を示す。
【図３８】図３８は一方から示されるように、図３６に示される推進ユニットを示す。
【図３９】図３９は、図３６乃至図３８においてＸ−Ｘ断面での代替形態を示す。
【図４０】図４０は、図３６乃至図３８においてＸ−Ｘ断面での代替形態を示す。
【図４１】図４１は、図３６乃至図３８においてＸ−Ｘ断面での代替形態を示す。
【図４２】図４２は、図３６乃至図３８においてＸ−Ｘ断面での代替形態を示す。
【図４３】図４３は、第７の実施形態の推進ユニットを示す。
【図４４】図４４は、図４３に示される推進ユニットの機能原理を示す。
【図４５】図４５は一方から示されるように、図４３に示される推進ユニットを示す。
【図４６】図４６は、図４３乃至図４５においてＸ−Ｘ断面での代替形態を示す。
【図４７】図４７は、図４３乃至図４５においてＸ−Ｘ断面での代替形態を示す。
【図４８】図４８は、図４３乃至図４５においてＸ−Ｘ断面での代替形態を示す。
【図４９】図４９は、図４３乃至図４５においてＸ−Ｘ断面での代替形態を示す。
【図５０】図５０は、図４３乃至図４５においてＸ−Ｘ断面での代替形態を示す。
【図５１】図５１は、第８の実施形態の推進ユニットを示す。
【図５２】図５２は、図５１に示される推進ユニットの機能原理を示す。
【図５３】図５３は、一方から示されるように、図５１に示される推進ユニットを示す。
【図５４】図５４は図５１乃至図５３においてＸ−Ｘ断面での代替形態を示す。
【図５５】図５５は図５１乃至図５３においてＸ−Ｘ断面での代替形態を示す。
【図５６】図５６は図５１乃至図５３においてＸ−Ｘ断面での代替形態を示す。
【図５７】図５７は第９の実施形態の推進ユニットを示す。
【図５８】図５８は、図５７に示される推進ユニットの機能原理を示す。
【図５９】図５９は一方から示されるように、図５７に示される推進ユニットを示す。
【図６０】図６０は図５７乃至図５９においてＸ−Ｘ断面での代替形態を示す。
【図６１】図６１は、第１０の実施形態の推進ユニットを示す。
【図６２】図６２は、図６１においてＸ−Ｘ断面での構成を示す。
【図６３】図６３は、第１１の実施形態の推進ユニットを示す。
【図６４】図６４は、図６３に示される推進ユニットの機能原理を示す。
【図６５】図６５は一方から示されるように、図６３に示される推進ユニットを示す。
【図６６】図６６は、図６４及び図６５においてＸ−Ｘ断面での第１の構成を示す。
【図６７】図６７は、図６４及び図６５においてＹ−Ｙ断面での第１の構成を示す。
【図６８】図６８は、図６４及び図６５においてＸ−Ｘ断面での第２の構成を示す。
【図６９】図６９は、図６４及び図６５においてＹ−Ｙ断面での第２の構成を示す。
【図７０】図７０は、第１２の実施形態の推進ユニットを示す。
【図７１】図７１は、図７０に示される推進ユニットの機能原理を示す。
【図７２】図７２は、図７０に示される推進ユニットの他の面を示す。
【図７３】図７３は、図７１及び図７２においてＹ−Ｙ断面での構成を示す。
【発明を実施するための形態】
【００２２】
以下に、船の推進ユニット及び幾つかの好ましい実施形態及び船の推進ユニットの変形例を、詳細に記述する。
【００２３】
船のアジマス推進ユニット等の船の推進ユニット（参照符号を付していない）は、船（参照符号を付していない）の船体２の下方に配置されるとともに、水中に少なくとも部分的に浸水可能なシェル構造１を備え、それにより、シェル構造１は、少なくとも部分的に水によって囲まれる。
【００２４】
推進ユニットは、シェル構造１の外側にプロペラ４を回転するための電気モータ３をさらに備える。電気モータ３は、固定子５及び固定子５内で回転する回転子６を有する。図において、プロペラシャフト７は、回転子６が固定子５内で回転するときに、回転子６と共に回転するために、回転子６に接続される。図において、プロペラシャフト７は、ベアリング設備８によってシェル構造内に回転可能に配置される。図中において、プロペラ４は、プロペラシャフト７に取り付けられる。
【００２５】
電気モータ３は、電気モータ３の固定子５がシェル構造１のモータハウジングセクション９の円筒状セクション１０の中に形状が適合するように、シェル構造１のモータハウジングセクション９に配置される。
【００２６】
円筒状セクション１０は、円筒状外面１１を有している。
【００２７】
シェル構造１は、シェル構造１のモータハウジングセクション９に接続される下端（参照符号を付していない）及び船の船体２に接続される上端（参照符号を付していない）を有する支持セクション２６を含む。支持セクション２６の上端は、船の船体２に関して推進ユニットが回転するための回転設備（不図示）によって船の船体２に接続される。
【００２８】
推進ユニットは、空気等のガス１３を含み、且つ、電気モータ３のチャンネル２３を通ってガス１３が循環するガス循環手段１４を具備する密閉ガス循環冷却システム１２を備える。電気モータ３を通るチャンネル２３は、必須ではないが、好ましくは、電気モータ３の回転子の少なくとも一つのチャンネル２３並びに電気モータ３の固定子５及び回転子６の間の空気ギャップ（符号は付しておらず）により形成されるチャンネル２３により形成される。ガス循環手段は、セパレートガス循環手段の形状であるか、又は、図６１及び図６２に示される推進ユニットの第１０の実施形態のように、推進シャフトと接続して配置される。
【００２９】
推進ユニットは、水等の液体１６を含む内部空間（符号は付しておらず）を有する密閉液体冷却システム１５を備える。
【００３０】
密閉液体冷却システム１５の内部空間は、必須ではないが、好ましくは、密閉液体冷却システム１５の内部空間の液体１６が、推進ユニットのシェル構造１を介して、密閉液体冷却システム１５の液体１６及び推進ユニットを囲う水の間で熱エネルギーを交換するため、推進ユニットのシェル構造１と直接的に接触するように、推進ユニットのシェル構造１により部分的に限定される。
【００３１】
推進ユニットは、密閉液体冷却システム１５の液体１６が循環するとともに、密閉ガス循環冷却システム１２を循環する又は逆も同様の混合ガス１３を有さずに、密閉ガス循環冷却システム１２を循環するガス１３及び密閉液体冷却システム１５の液体１６の間で熱エネルギーを交換するため、密閉ガス循環冷却システム１２と流体的に接続し、且つ、密閉液体冷却システム１５と流体的に接続するガス−液体熱交換器１７を備える。
【００３２】
密閉ガス循環冷却システム１２、密閉液体冷却システム１５及びガス−液体熱交換器１７は、推進ユニットの全域である。
【００３３】
シェル構造１の支持セクション２６は、推進ユニットが水中に少なくとも部分的に浸されるときに、推進ユニットを囲う水がシェル構造１の開口１８を通って流れることを許可する開口１８を備えている。そのような開口１８は、開口部３７を介して推進ユニットを囲う水を開口１８に入ることを可能とし、そして、同様に、開口部３７を介して開口１８の水が開口を出ることを可能とする開口部３７を備えるカバー部３６により閉塞される。或いは、そのような開口１８が、開口部３７を介して推進ユニットを囲う水が開口１８へ入ることを可能とし、そして、同様に、開口部３７を介して開口１８の水が開口をでることを可能とするための開口部３７が形成されるように、カバー部３６により閉塞されることが可能である。
【００３４】
シェル構造１の支持セクション２６の下端は、開口１８がシェル構造１の支持セクション２６に形成されるように、シェル構造１のモータハウジングセクション９と接続されることが可能である。そのような開口１８は、開口部３７を介して推進ユニットを囲う水が開口１８に入ることを可能とし、そして、同様に、開口部３７を介して開口１８の水が開口を出ることを可能とする開口部３７を備えるカバー部３６で密閉されることが可能である。或いは、そのような開口１８が、開口部３７を介して推進ユニットを囲う水が開口１８へ入ることを可能とし、そして、同様に、開口部３７を介して開口１８の水が開口を出ることを可能とする開口部３７が形成されるように、カバー部３６により閉塞されることが可能である。
【００３５】
シェル構造１の支持セクション２６の下端は、図１乃至図１３に示される第１の実施形態の推進ユニット、図１４乃至図１７に示される第２の実施形態の推進ユニット、及び、図１８乃至図２１に示される第３の実施形態の推進ユニットの場合であるように、開口１８がシェル構造１の支持セクション２６及びシェル構造１のモータハウジングセクション９の間に形成されるように、及び、モータハウジングセクション９の円筒状セクション１０の円筒状外面１１の円筒状部１９が推進ユニットの最外面の一部（参照符号を付しておらず）を形成するように、シェル構造１のモータハウジングセクション９と接続されることが可能である。最外面は、推進ユニットが水中に少なくとも部分的に浸されるとき、推進ユニットを囲う水と少なくとも部分的に接触する。そのような開口１８は、開口部３７を介して推進ユニットを囲う水が開口１８に入ることを可能とし、そして、同様に、開口部３７を介して開口１８の水が開口から出ることを可能とする開口部３７を備えるカバー部３６により閉塞される。或いは、そのような開口１８が、開口部３７を介して推進ユニットを囲う水が開口１８へ入ることを可能とし、そして、同様に、開口部３７を介して開口１８の水が開口を出ることを可能とする開口部３７が形成されるように、カバー部３６により閉塞されることが可能である。
【００３６】
モータハウジングセクション９の円筒状セクション１０の円筒状外面１１のそのような円筒状部１９は、図５に示すように、モータハウジングセクション９の円筒状セクション１０の電気モータ３及びモータハウジングセクション９の円筒状セクション１０の円筒状部１９を囲う水の間で熱エネルギーの移動を増加するための突出熱交換要素２０を備える。
【００３７】
推進ユニットにおいて、密閉液体冷却システム１５は、図１８乃至図２１に示される第３の実施形態の推進ユニット、図５７乃至図６０に示される第９の実施形態の推進ユニット、及び、図６１及び図６２に示される第１０の推進ユニットの場合であるように、液体１６を含む前記内部空間を形成する密閉液体タンク２１の形状である。密閉液体タンク２１は、密閉液体タンク２１の使用の間存在する液体又はガス等の他の流体が、冷却するために密閉液体タンク２１から入れる又は出すことを意図することがない、この関係を意味する。
【００３８】
そのような密閉液体タンク２１は、図５７乃至図６０に示される第９の実施形態の推進ユニット及び図６１及び図６２に示される第１０の実施形態の推進ユニットの場合であるように、密閉液体タンク２１の液体１６が、モータハウジングセクション９の円筒状セクション１０を介して、モータハウジングセクション９の円筒状セクション１０に配置される電気モータ及び密閉液体タンク２１の液体１６の間で熱エネルギーを交換するため、モータハウジングセクション９の円筒状セクション１０の円筒状外面１１と直接的に接触するように、モータハウジングセクション９の円筒状セクション１０の円筒状外面１１によって部分的に限定される。
【００３９】
そのような密閉液体タンク２１は、図１８乃至図２１に示される第３の実施形態の推進ユニット、図５７乃至図６０に示される推進ユニットの第９の実施形態の推進ユニット及び図６１及び図６２に示される第１０の実施形態の推進ユニットの場合であるように、密閉液体タンク２１の液体１６が、推進ユニットのシェル構造１を介して、密閉液体タンク２１の液体１６及び推進ユニットのシェル構造１の支持セクション２６を囲う水の間で熱エネルギーを交換するため、推進ユニットのシェル構造１の支持セクション２６と直接的に接触するように、推進ユニットのシェル構造１の支持セクション２６によって部分的に限定される。
【００４０】
密閉液体冷却システム１５が液体１６を含む前記内部空間を形成する密閉液体タンク２１の形状であるなら、ガス−液体熱交換器１７は、図１８乃至図２１に示される第３の実施形態の推進ユニット、図５７乃至図６０に示される第９の実施形態の推進ユニット及び図６１及び図６２に示される第１０の実施形態の場合であるように、ダクト２２が、密閉液体タンク２１を通って前記ダクト２２の密閉ガス循環冷却システム１２を循環するガス１３を案内するため、並びに、前記ダクト２２を流れるガス１３及び密閉液体タンク２１の液体１６の間で熱エネルギーを交換するため、密閉液体タンク２１を通って延びるように、密閉ガス循環冷却システム１２と流体的に連絡するダクト２２によって形成される。
【００４１】
密閉液体冷却システム１５が液体１６を含む前記内部空間を形成する密閉液体タンク２１の形状であるなら、密閉液体タンク２１の内面は、密閉液体タンク２１の内部空間の液体１６及び推進ユニットのシェル構造を囲う水の間で熱エネルギーの移動を増加するため、密閉液体タンクの中に推進ユニットのシェル構造１の支持セクション２６から突出する突出熱交換要素３２を備えている。
【００４２】
推進ユニットにおいて、密閉液体冷却システム１５は、図１乃至図１３に示される第１の実施形態の推進ユニット、図１４乃至図１７に示される第２の実施形態の推進ユニット、図２２乃至図２８に示される第４の実施形態の推進ユニット、図２９乃至図３５に示される第５の実施形態の推進ユニット、図３６乃至図４２に示される第６の実施形態の推進ユニット、図４３乃至図５０に示される第７の実施形態の推進ユニット、図３６乃至図６９に示される第１１の実施形態の推進ユニット及び図７０乃至図７３に示される第１２の実施形態の推進ユニットの場合であるように、液体１６を含み、且つ、液体１６を含む前記内部空間を形成する密閉液体循環冷却システム２４の形状であり、そして、密閉液体循環冷却システム２４の内部空間の液体１６を循環する液体循環手段２５を備える。
【００４３】
密閉液体循環冷却システム２４は、図３６乃至図６９に示される第１１の実施形態の推進ユニット及び図７０乃至図７３に示される第１２の実施形態の推進ユニットの場合であるように、密閉液体循環冷却システム２４のチューブセクション３３を介して、密閉液体循環冷却システム２４を循環する液体１６及び推進ユニットを囲う水の間で熱エネルギーを交換するため、推進ユニットを囲う水と直接的に接触する外面３４を有するチューブセクション３３によって部分的に形成される。チューブセクション３３は、コイルドチューブの形状の部位を備えることが可能である。
【００４４】
密閉液体循環冷却システム２４がチューブセクション３３により部分的に形成されるなら、チューブセクション３３は、密閉液体冷却システム１５の内部空間を循環する液体が、液体−液体熱交換器３８のチューブセクション３３を通って流れる液体及び液体−液体熱交換器３８のチューブセクション３３と接触し、且つ、推進ユニットのシェル構造１を囲う水の間で熱エネルギーを交換するため、液体−液体熱交換器３８のチューブセクション３３を通って循環するように、密閉液体冷却システム１５と流体的に連絡する液体−液体熱交換器３８の一部である。
【００４５】
そのような密閉液体循環冷却システム２４の内部空間は、密閉液体循環冷却システム２４の内部空間を流れる液体１６が、シェル構造１の支持セクション２６を介して、密閉液体循環冷却システム２４の内部空間を流れる液体１６及びシェル構造１の支持セクション２６を囲う水の間で熱エネルギーを交換するため、シェル構造１の支持セクション２６と直接的に接触するように、推進ユニットのシェル構造１の支持セクション２６によって部分的に限定される。
【００４６】
そのような密閉液体循環冷却システム２４の内部空間は、図２２乃至図２８に示される第４の実施形態の推進ユニット、図２９乃至図３５に示される第５の実施形態の推進ユニット、図３６乃至図４２に示される第６の実施形態の推進ユニット、図４３乃至図５０に示される第７の実施形態の推進ユニット及び図５１乃至図５６に示される第８の実施形態の推進ユニットの場合であるように、密閉液体循環冷却システム２４の内部空間を流れる液体１６が、電気モータ３及び密閉液体循環冷却システム２４の内部空間で循環する液体１６の間のモータハウジングセクション９の円筒状セクション１０の前記一部３１を介して、モータハウジングセクション９の円筒状セクション１０に配置される電気モータ３及び密閉液体循環冷却システム２４の内部空間を流れる液体１６の間で熱エネルギーを交換するため、モータハウジングセクション９の円筒状セクション１０の円筒状外面１１の前記一部３１と直接的に接触するように、モータハウジングセクション９の円筒状セクション１０の円筒状外面１１の一部３１によりさらに部分的に限定される。
【００４７】
密閉液体循環冷却システム２４の内部空間の液体１６と接触するモータハウジングセクション９の円筒状セクション１０の円筒状外面１１の前記一部３１は、図２６、図３３、図４０及び図４７に示されるように、モータハウジングセクション９の円筒状セクション１０の円筒状外面１１の前記一部３１に沿って、液体１６の複数の個々の流れを作るためのパーティション要素２７を備えることも可能である。
【００４８】
密閉液体冷却システム１５の液体１６と接触するモータハウジングセクション９の円筒状外面１１の円筒状セクション１０の前記一部は、図２５、図３２、図３９及び図４６に示されるように、モータハウジングセクション９の電気モータ３及び密閉液体冷却システム１５の液体１６の間で熱エネルギーの移動が増加するための突出熱交換要素を備えることが可能である。
【００４９】
密閉液体冷却システム１５が密閉液体循環冷却システム２４の形状であるなら、密閉液体循環冷却システム２４は、図２９乃至図３５に示される第５の実施形態の推進ユニット、図３６乃至図４２に示される第６の実施形態の推進ユニット及び図５１乃至図５６に示される第８の実施形態の推進ユニットの場合であるように、密閉液体循環冷却システム２４の内部空間の一部３１を形成する第１内部空間（符号を付しておらず）を有する第１液体タンク２８を備えることが可能である。
【００５０】
そのような第１液体タンク２８は、密閉液体循環冷却システム２４を流れる液体１６が第１液体タンク２８の第１内部空間を通って流れるように、密閉液体循環冷却システム２４と流体的に連絡する。第１液体タンク２８の第１内部空間は、第１液体タンク２８の第１内部空間の液体１６が、モータハウジングセクション９の円筒状セクション１０の円筒状外面１１の前記一部３１を介して、モータハウジングセクション９に配置される電気モータ３及び第１液体タンク２８の第１内部空間を流れる液体１６の間で熱エネルギーを交換するため、モータハウジングセクション９の円筒状セクション１０の円筒状外面１１と直接的に接触するように、モータハウジングセクション９の円筒状セクション１０の円筒状外面１１の前記一部により部分的に限定される。
【００５１】
密閉液体循環冷却システム２４が第１液体タンク２８を備えるなら、第１液体タンク２８は、図２９乃至図３５に示される第５の実施形態の推進ユニット、図３６乃至図４２に示される第６の実施形態の推進ユニット及び図５１乃至図５６に示される第８の実施形態の推進ユニットの場合であるように、第１液体タンク２８の第１内部空間の液体１６が、シェル構造１の支持セクション２６を介して、密閉液体循環冷却システム２４の第１液体タンク２８の第１内部空間を流れる液体１６及びシェル構造１の支持セクション２６を囲う水の間で熱エネルギーを交換するため、シェル構造１の支持セクション２６とさらに直接的に接触するように、シェル構造１の支持セクション２６によりさらに部分的に限定される。
【００５２】
密閉液体循環冷却システム２４が第１液体タンク２８を備えるなら、第１液体タンク２８は、図２９乃至図３５に示される第５の実施形態の推進ユニット及び図３６乃至図４２に示される第６の実施形態の推進ユニットの場合であるように、第１液体タンク２８の液体１６の滞留時間を延長するために第１液体タンク２８を通る液体１６を案内するため、及び／又は、第１液体タンク２８を通って流れる液体１６及びシェル構造１の支持セクション２６の間の熱交換要素のように働くための、バッフル２９を備える。
【００５３】
密閉液体循環冷却システム２４が第１液体タンク２８を備えるなら、図５１乃至図５６に示される第８の実施形態の推進ユニットのように、ガス−液体熱交換器１７は、密閉ガス循環冷却システム１２と流体的に連結されるダクト２２により形成され、ダクト２２は、第１液体タンク２８を通って前記ダクト２２に密閉ガス循環冷却システム１２を循環するガス１３を案内するため、及び、第１液体タンク２８を通る前記ダクト２２を流れるガス１３及び第１液体タンク２８の液体１６の間で熱エネルギーを交換するため、第１液体タンク２８を通って延びる。
【００５４】
密閉液体冷却システム１５が密閉液体循環冷却システム２４の形状であるなら、密閉液体循環冷却システム２４は、図１乃至図１３に示される第１の実施形態の推進ユニット、図２９乃至図３５に示される第５の実施形態の推進ユニット及び図４３乃至図５０に示される第７の実施形態の推進ユニットの場合であるように、密閉液体循環冷却システム２４の内部空間の一部を形成する第２内部空間（符号は付しておらず）を有する第２液体タンク３０を備えることができる。
【００５５】
そのような第２液体タンク３０は、密閉液体循環冷却システム２４を流れる液体１６が、第２液体タンク３０の第２内部空間を通って流れるように、密閉液体循環冷却システム２４と流体的に連絡される。第２液体タンク３０は、第２液体タンク３０の第２内部空間（符号は付しておらず）の液体１６が、シェル構造１の支持セクション２６を介して、第２液体タンク３０の第２内部空間を流れる液体１６及びシェル構造１の支持セクション２６を囲う水の間で熱エネルギーを交換するため、シェル構造１の支持セクション２６と直接的に接触するように、シェル構造１の支持セクション２６によって部分的に限定される。
【００５６】
密閉液体循環冷却システム２４が第２液体タンク３０を備えるなら、第２液体タンク３０の第２内部空間は、図２９乃至図３５に示される第５の実施形態の推進ユニット及び図４３乃至図５０に示される第７の実施形態の推進ユニットの場合であるように、第２液体タンク３０の第２内部空間の液体１６の滞留時間を延長するために第２液体タンク３０の第２内部空間を通る液体１６を案内するための、及び／又は、第２液体タンク３０の第２内部空間を通って流れる液体１６及びシェル構造１の支持セクション２６の間で熱交換要素のように働くための、バッフル２９を備えてもよい。
【００５７】
密閉液体循環冷却システム２４が第２液体タンク３０を備えるなら、図１４乃至図１７に示される第２の実施形態の推進ユニットのように、ガス−液体熱交換器１７は、密閉ガス循環冷却システム１２と流体的に連絡するダクト２２により形成され、ダクト２２は、第２液体タンク３０を通って前記ダクト２２に密閉ガス循環冷却システム１２を循環するガス１３を案内するため、及び、第２液体タンク３０を通る前記ダクト２２を流れるガス１３及び第２液体タンク３０の液体１６の間で熱エネルギーを交換するため、第２液体タンク３０を通って延びる。
【００５８】
推進ユニットにおいて、シェル構造１の支持セクション２６の下端は、図に示されるように、推進ユニットのシェル構造１のモータハウジングセクション９の円筒状セクション１０の円筒状外面１１が推進ユニットの最外面を形成するように、シェル構造１のモータハウジングセクション９に接続されてもよい。そのような場合において、推進ユニットの最外面を形成するモータハウジングセクション９の円筒状セクション１０の円筒状外面１１は、モータハウジングセクション９の電気モータ３及び推進ユニットの最外面を形成するモータハウジングセクション９の円筒状セクション１０の円筒状外面１１の一部３１を囲う水の間で熱エネルギーの移動を増加するための突出熱交換要素２０を備えていてもよい。
【００５９】
図１乃至図１３に示される第１の実施形態の推進ユニット、図２２乃至図２８に示される第４の実施形態の推進ユニット、図２９乃至図３５に示される第５の実施形態の推進ユニット、図３６乃至図４２に示される第６の実施形態の推進ユニット及び図４３乃至図５０に示される第７の実施形態の推進ユニットの場合であるように、ガス−液体熱交換器１７は、密閉ガス循環冷却システム１２と流体的に接続し、且つ、密閉液体冷却システム１５と流体的に接続するセパレート熱交換器であることが可能である。
【００６０】
モータハウジングセクション９の円筒状セクション１０は、必須ではないが、好ましくは、図で説明されるように、シングルレイヤー構造である。しかしながら、モータハウジングセクション９の円筒状セクション１０の円筒状外面１１が、例えば、さらにペイントされることができることは、当業者であれば明らかである。
【００６１】
密閉液体冷却システム１５は、必須ではないが、好ましくは、推進ユニットのシェル構造によって少なくとも部分的に囲われて配置される。密閉液体冷却システム１５は、必須ではないが、より好ましくは、図で説明されるように、推進ユニットのシェル構造１によって完全に囲われて配置される。
【００６２】
密閉ガス循環冷却システム１２は、必須ではないが、好ましくは、推進ユニットのシェル構造１によりすくなくとも部分的に囲われて配置される。密閉ガス循環冷却システム１２は、必須ではないが、より好ましくは、図で説明されるように、推進ユニットのシェル構造１によって完全に囲われて配置される。
【００６３】
ガス−液体熱交換器１７は、必須ではないが、好ましくは、推進ユニットのシェル構造１によって少なくとも部分的に囲われて配置される。ガス−液体熱交換器１７は、必須ではないが、より好ましくは、図で説明されるように、推進ユニットのシェル構造１によって完全に囲われて配置される。
【００６４】
密閉液体冷却システム１５は、必須ではないが、好ましくは、図で説明されるように、船の船体の外側に完全に配置される。
【００６５】
密閉ガス循環冷却システム１２は、必須ではないが、好ましくは、図で説明されるように、船の船体の外側に完全に配置される。
【００６６】
ガス−液体熱交換器１７は、必須ではないが、好ましくは、図で説明されるように、船の船体の外側に完全に配置される。
【００６７】
電気モータ３は、必須ではないが、好ましくは、誘電電気モータ３である。
【００６８】
技術進歩により、発明の基本概念が種々の方法によって実施されることができることは、当業者にとって明白である。この発明及びそれら実施形態は、従って、上述した例に限定されず、それらは、請求の範囲内において変更してもよい。
【図１】
2015027871.tif 000003
【図２】
2015027871.tif 000004
【図３】
2015027871.tif 000005
【図４】
2015027871.tif 000006
【図５】
2015027871.tif 000007
【図６】
2015027871.tif 000008
【図７】
2015027871.tif 000009
【図８】
2015027871.tif 000010
【図９】
2015027871.tif 000011
【図１０】
2015027871.tif 000012
【図１１】
2015027871.tif 000013
【図１２】
2015027871.tif 000014
【図１３】
2015027871.tif 000015
【図１４】
2015027871.tif 000016
【図１５】
2015027871.tif 000017
【図１６】
2015027871.tif 000018
【図１７】
2015027871.tif 000019
【図１８】
2015027871.tif 000020
【図１９】
2015027871.tif 000021
【図２０】
2015027871.tif 000022
【図２１】
2015027871.tif 000023
【図２２】
2015027871.tif 000024
【図２３】
2015027871.tif 000025
【図２４】
2015027871.tif 000026
【図２５】
2015027871.tif 000027
【図２６】
2015027871.tif 000028
【図２７】
2015027871.tif 000029
【図２８】
2015027871.tif 000030
【図２９】
2015027871.tif 000031
【図３０】
2015027871.tif 000032
【図３１】
2015027871.tif 000033
【図３２】
2015027871.tif 000034
【図３３】
2015027871.tif 000035
【図３４】
2015027871.tif 000036
【図３５】
2015027871.tif 000037
【図３６】
2015027871.tif 000038
【図３７】
2015027871.tif 000039
【図３８】
2015027871.tif 000040
【図３９】
2015027871.tif 000041
【図４０】
2015027871.tif 000042
【図４１】
2015027871.tif 000043
【図４２】
2015027871.tif 000044
【図４３】
2015027871.tif 000045
【図４４】
2015027871.tif 000046
【図４５】
2015027871.tif 000047
【図４６】
2015027871.tif 000048
【図４７】
2015027871.tif 000049
【図４８】
2015027871.tif 000050
【図４９】
2015027871.tif 000051
【図５０】
2015027871.tif 000052
【図５１】
2015027871.tif 000053
【図５２】
2015027871.tif 000054
【図５３】
2015027871.tif 000055
【図５４】
2015027871.tif 000056
【図５５】
2015027871.tif 000057
【図５６】
2015027871.tif 000058
【図５７】
2015027871.tif 000059
【図５８】
2015027871.tif 000060
【図５９】
2015027871.tif 000061
【図６０】
2015027871.tif 000062
【図６１】
2015027871.tif 000063
【図６２】
2015027871.tif 000064
【図６３】
2015027871.tif 000065
【図６４】
2015027871.tif 000066
【図６５】
2015027871.tif 000067
【図６６】
2015027871.tif 000068
【図６７】
2015027871.tif 000069
【図６８】
2015027871.tif 000070
【図６９】
2015027871.tif 000071
【図７０】
2015027871.tif 000072
【図７１】
2015027871.tif 000073
【図７２】
2015027871.tif 000074
【図７３】
2015027871.tif 000075
【外国語明細書】
2015027871000001.pdf